(57)【要約】      （修正有）【課題】可撓性を備えた逆流防止弁において、逆流防止弁本体を、排水配管に良好に取り付け固定するための構造を提供する。【解決手段】排水配管の流路中に配置される逆流防止弁について、逆流防止弁を、可撓性を有する素材からなり、略筒体状にして上流側の端部は開口すると共に、下流側の端部は無荷重時には閉塞する閉塞部４を備えた本体部２、及び本体部２の開口部側に備えた鍔部５、からなる逆流防止弁本体１と、開口部の内周面に当接する硬質の素材からなる第一のリング体６と、開口部の外周面に当接する硬質の素材からなる第二のリング体７と、から構成され、第一のリング体６と第二のリング体７とで開口部周辺を挟持すると共に、第一のリング体６または第二のリング体７のいずれか一方、または両方の上面に、鍔部５が当接することで逆流防止弁本体１の第一のリング体６および第二のリング体７からの抜脱を防止する。【選択図】図２
2012180656.tif 000002
【特許請求の範囲】
【請求項１】
排水配管の流路中に配置される逆流防止弁であって、
可撓性を有する素材からなり、
略筒体状にして上流側の端部は開口すると共に、下流側の端部は対向する側面同士が当接し、無荷重時には閉塞し、内部に一定の圧力を加えられることによって開口する閉塞部４を備えた本体部２、及び本体部２の開口部３側の内周面または外周面のいずれか一方、または両方に備えた鍔部５、からなる逆流防止弁本体１と、
開口部３の内周面に当接する硬質の素材からなる第一のリング体６と、
開口部３の外周面に当接する硬質の素材からなる第二のリング体７と、
から構成され、第一のリング体６と第二のリング体７とで開口部３周辺を挟持すると共に、
第一のリング体６または第二のリング体７のいずれか一方、または両方の上面に、鍔部５が当接することで逆流防止弁本体１の第一のリング体６および第二のリング体７からの抜脱を防止することを特徴とする、逆流防止弁。
【請求項２】
上記逆流防止弁において、
第一のリング体６と第二のリング体７のいずれか一方を断面略コの字形状に形成すると共に、
他方をコの字形状部分の内部に配置することで、第一のリング体６と第二のリング体７とを係止固定することを特徴とする、
請求項１に記載の逆流防止弁。
【請求項３】
排水配管の流路中に配置される逆流防止弁であって、
可撓性を有する素材からなり、
略筒体状にして上流側の端部は開口すると共に、下流側の端部は対向する側面同士が当接し、無荷重時には閉塞し、内部に一定の圧力を加えられることによって開口する閉塞部４を備えた本体部２、及び本体部２の開口部３側の外周面に備えた鍔部５、からなる逆流防止弁本体１と、
鍔部５の少なくとも上部に当接する硬質の素材からなる第一のリング体６と、
鍔部５の少なくとも下部に当接する硬質の素材からなる第二のリング体７と、
から構成され、第一のリング体６と第二のリング体７とで鍔部５を挟持すると共に、
鍔部５の外側端部が、少なくとも第一のリング体６または第二のリング体７のいずれか一方、または両方よりも外側方向に突出してなることを特徴とする、逆流防止弁。
【請求項４】
上記逆流防止弁において、
第一のリング体６と第二のリング体７とを押圧した状態で固定する固定部材８を備えたことを特徴とする、請求項３に記載の逆流防止弁。
【請求項５】
上記逆流防止弁において、
逆流防止弁本体１の鍔部５の端部に、端部に対して略直角方向に突出する突起部５ａを備えたことを特徴とする、請求項１乃至請求項４のいずれか一つに記載の逆流防止弁。
【請求項６】
上記逆流防止弁において、
第一のリング体６、または第二のリング体７のいずれか一方、または両方が、逆流防止弁を配管する排水配管の管体である事を特徴とする、請求項１乃至請求項５のいずれか一つに記載の逆流防止弁。
【請求項７】
上記逆流防止弁において、
逆流防止弁本体１の鍔部５の、第一のリング体６、または第二のリング体７から突出した部分を、逆流防止弁を配管する排水配管と逆流防止弁とを水密的に接続させるパッキングとしたことを特徴とする、請求項１乃至請求項６のいずれか一つに記載の逆流防止弁。
【請求項８】
上記逆流防止弁本体１の開口部３に、硬質素材からなる環状体９をインサート成型したことを特徴とする、請求項１乃至請求項７のいずれか一つに記載の逆流防止弁。
【請求項９】
上記逆流防止弁を、排水配管において、下水側からの臭気や害虫類の逆流を防止する排水トラップとして使用することを特徴とする、請求項１乃至請求項８のいずれか一つに記載の逆流防止弁。
【発明の詳細な説明】
【技術分野】
【０００１】
本発明は、排水配管に配置される、可撓性を備えた逆流防止弁に関し、更に詳しくは、可撓性を備えた逆流防止弁の取り付け構造を改良するためのものである。
【背景技術】
【０００２】
従来より、洗濯機防水パン、浴室、洗面台、流し台など、使用によって排水が発生する様々な家庭用機器（以下、このような使用によって排水が発生する機器を、「排水機器」と呼ぶ）が知られている。これらの排水機器には、通常、使用によって生じた排水を下水側に処理するため、排水配管が備えられている。これら排水配管においては、下水側から臭気、害虫類が逆流し、屋内側に侵入することを防止するために、その管路中に、臭気や害虫類の逆流を防止する、排水トラップと呼ばれる部材が配置される。また、同じく臭気や害虫類の逆流、更には排水の逆流を防止するために、排水配管中に逆流防止弁が備えられる場合がある。
【０００３】
上記した逆流防止弁には様々な種類があるが、その内の一つとして、図１３に記載した、可撓管を利用した逆流防止弁が知られている。
図１３に示した従来の逆流防止弁を備えた排水配管は、以下に記載する逆流防止弁本体、排水トラップ、から構成される。
逆流防止弁本体は、可撓性を有する素材からなり、略筒体状にして上流側の端部は開口すると共に、下流側の端部は対向する側面同士が当接し、無荷重時には閉塞し、内部に一定の圧力を加えられることによって開口する閉塞部を備えた本体部からなる。
排水トラップは、箱状のケーシング体であって、該ケーシング体の上面から下方に向かって備えられた、排水が流入する筒体部と、ケーシング体側面に設けられた、排水を排出する排出口からなる。
上記のように構成された排水配管は、筒体部下端の外周面に、逆流防止弁の開口部内面を当接するように取り付け固定を行い、筒体部の上流側を排水機器の排水口に、排出口を床下配管に、それぞれ接続することで施工が完了する。
上記のような従来の排水配管において、排水機器を使用し、排水口内に排水が流れ込むと、排水は、筒体部から逆流防止弁内部に流入する。逆流防止弁内部に排水がある程度溜まると、水の自重による水圧の作用によって、逆流防止弁本体の下方の閉塞部が内側から押し開けられ、ケーシング体の内部に排水が排出される。その後、排水が排出口下端まで溜まると、以降は排出口から床下配管を介し、下水側に排出される。
また、排水が完了すると、逆流防止弁内部の水量が充分少なくなった時点で、逆流防止弁の弾性により閉塞部が再び閉塞し、排水の排出が完了する。
【０００４】
【特許文献１】特開２００９−２８７３２９号（図１乃至図３）
【発明の開示】
【発明が解決しようとする課題】
【０００５】
しかしながら上記従来例には以下のような問題点があった。
上記のように、逆流防止弁本体は水圧によってその下端を開閉することで、排水時には内部の排水を排出し、逆流時には屋内側への逆流を防止している。上記性能を効果的に発生させるためには、なるべく逆流防止弁に軟質な素材を用いて閉塞部の開閉がスムーズに行われるようにする必要がある。また、逆流防止弁本体の機能を維持するためには、粘着質な溶液が通過する場合でも閉塞部の接触面同士が貼り付いたりするような事がないこと、また逆流防止弁本体が有機溶媒などの薬品が通過しても溶けたり変質しない素材であることが求められる。
このため、シリコーンゴムなど、軟質で耐熱性・耐薬性が有り、また表面の摩擦係数の低い素材を利用して、この逆流防止弁本体が成型される場合が多い。
しかしながら、このような、軟質且つ耐薬性のある素材を使用したことで、逆に排水配管上に逆流防止弁を固定することが困難となる場合が多かった。
例えば図１３に示した従来例の場合、排水トラップの筒体部下端と逆流防止弁本体の開口部とは、筒体部下端の外周面に、逆流防止弁の開口部内面を当接させて取り付け固定を行っているが、逆流防止弁本体の表面の摩擦係数が低いため、大量に排水が生じて、逆流防止弁本体が水の自重・勢いなどで下向きの加重を受けると、逆流防止弁本体が筒体部表面を滑って降下し、筒体部から外れてしまう場合があった。
また、逆流防止弁本体は、耐薬性のある素材を使用するため、接着剤などの「薬品」も効果を生じることが難しく、接着で逆流防止弁本体を筒体部など排水配管に固定することも困難であった。
本発明は上記問題点に鑑み考案されたものであって、可撓性を備えた逆流防止弁において、逆流防止弁本体を、排水配管に良好に取り付け固定するための構造を提供するものである。
【課題を解決するための手段】
【０００６】
請求項１に記載の本発明は、排水配管の流路中に配置される逆流防止弁であって、
可撓性を有する素材からなり、略筒体状にして上流側の端部は開口すると共に、下流側の端部は対向する側面同士が当接し、無荷重時には閉塞し、内部に一定の圧力を加えられることによって開口する閉塞部４を備えた本体部２、及び本体部２の開口部３側の内周面または外周面のいずれか一方、または両方に備えた鍔部５、からなる逆流防止弁本体１と、開口部３の内周面に当接する硬質の素材からなる第一のリング体６と、開口部３の外周面に当接する硬質の素材からなる第二のリング体７と、から構成され、第一のリング体６と第二のリング体７とで開口部３周辺を挟持すると共に、第一のリング体６または第二のリング体７のいずれか一方、または両方の上面に、鍔部５が当接することで逆流防止弁本体１の第一のリング体６および第二のリング体７からの抜脱を防止することを特徴とする、逆流防止弁である。
【０００７】
請求項２に記載の本発明は、上記逆流防止弁において、
第一のリング体６と第二のリング体７のいずれか一方を断面略コの字形状に形成すると共に、他方をコの字形状部分の内部に配置することで、第一のリング体６と第二のリング体７とを係止固定することを特徴とする、段落０００６に記載の逆流防止弁である。
【０００８】
請求項３に記載の本発明は、排水配管の流路中に配置される逆流防止弁であって、
可撓性を有する素材からなり、略筒体状にして上流側の端部は開口すると共に、下流側の端部は対向する側面同士が当接し、無荷重時には閉塞し、内部に一定の圧力を加えられることによって開口する閉塞部４を備えた本体部２、及び本体部２の開口部３側の外周面に備えた鍔部５、からなる逆流防止弁本体１と、鍔部５の少なくとも上部に当接する硬質の素材からなる第一のリング体６と、鍔部５の少なくとも下部に当接する硬質の素材からなる第二のリング体７と、から構成され、第一のリング体６と第二のリング体７とで鍔部５を挟持すると共に、鍔部５の外側端部が、第一のリング体６または第二のリング体７のいずれか一方、または両方よりも外側方向に突出してなることを特徴とする、逆流防止弁である。
【０００９】
請求項４に記載の本発明は、上記逆流防止弁において、
第一のリング体６と第二のリング体７とを押圧した状態で固定する固定部材８を備えたことを特徴とする、上記段落０００８に記載の逆流防止弁である。
【００１０】
請求項５に記載の本発明は、上記逆流防止弁において、
逆流防止弁本体１の鍔部５の端部に、端部に対して略直角方向に突出する突起部５ａを備えたことを特徴とする、上記段落０００６乃至段落０００９のいずれか一つに記載の逆流防止弁である。
【００１１】
請求項６に記載の本発明は、上記逆流防止弁において、
第一のリング体６、または第二のリング体７のいずれか一方、または両方が、逆流防止弁を配管する排水配管の管体である事を特徴とする、上記段落０００６乃至段落０００１０のいずれか一つに記載の逆流防止弁である。
【００１２】
請求項７に記載の本発明は、上記逆流防止弁において、
逆流防止弁本体１の鍔部５の、第一のリング体６、または第二のリング体７から突出した部分を、逆流防止弁を配管する排水配管と逆流防止弁とを水密的に接続させるパッキングとしたことを特徴とする、上記段落０００６乃至段落００１１のいずれか一つに記載の逆流防止弁である。
【００１３】
請求項８に記載の本発明は、上記逆流防止弁本体１の開口部３に、硬質素材からなる環状体９をインサート成型したことを特徴とする、上記段落０００６乃至段落０００１２のいずれか一つに記載の逆流防止弁である。
【００１４】
請求項９に記載の本発明は、上記逆流防止弁を、排水配管において、下水側からの臭気や害虫類の逆流を防止する排水トラップとして使用することを特徴とする、上記段落０００６乃至段落０００１３のいずれか一つに記載の逆流防止弁である。
【発明の効果】
【００１５】
請求項１に記載の本発明では、軟質な素材からなる逆流防止弁本体の開口側の端部に鍔部を設けると共に、第一のリング体及び第二のリング体によって逆流防止弁本体の開口側の端部を挟み込むことで、逆流防止弁の開口側端部を、硬質の部材である第一のリング体及び第二のリング体に対して固定することができる。これによって、軟質な素材からなる逆流防止弁を、硬質な素材からなる第一のリング体又は第二のリング体を介して、排水配管に固定することができる。
請求項２に記載の本発明では、第一のリング体と第二のリング体のいずれか一方を断面略コの字形状に形成すると共に、他方をコの字形状部分の内部に配置することで、第一のリング体と第二のリング体とを確実に係止固定することができるようになり、逆流防止弁本体の施工に対する信頼性が向上する。
請求項３に記載の本発明では、軟質な素材からなる逆流防止弁本体の開口側の端部に鍔部を設けると共に、第一のリング体及び第二のリング体によって鍔部を上下から挟み込んだ場合に、鍔部の外側端部が第一のリング体または第二のリング体のいずれか一方、または両方よりも外側方向に突出するように構成したことで、鍔部の、第一のリング体または第二のリング体上に段差ができて抜脱防止となり、逆流防止弁の開口側端部を、硬質の部材である第一のリング体及び第二のリング体に対して固定することができる。これによって、軟質な素材からなる逆流防止弁を、硬質な素材からなる第一のリング体又は第二のリング体を介して、排水配管に固定することができる。
請求項４に記載の本発明では、第一のリング体と第二のリング体とを押圧した状態で固定する固定部材を備えたことで、第一のリング体と第二のリング体とを確実に係止固定することができるようになり、逆流防止弁本体の施工に対する信頼性が向上する。
請求項５に記載の本発明では、鍔部に突起部を設けたことで、逆流防止弁本体が、第一のリング体及び第二のリング体より一層抜脱し難い形状とすることができ、逆流防止弁本体の施工に対する信頼性が向上する。
請求項６に記載の本発明では、第一のリング体、または第二のリング体のいずれか一方、または両方を、排水配管の管体により構成したことで、部材のコストダウンを図ることができる。また接続箇所が減じるため、水密性の向上を図ることができる。
請求項７に記載の本発明では、逆流防止弁本体が軟質な素材であることを利用し、逆流防止弁本体をパッキングとしても兼用し、部材のコストダウンを図ることができる。
請求項８に記載の本発明では、逆流防止弁本体に硬質素材からなる環状体をインサート成型で備えたことで、軟質な素材からなる逆流防止弁本体の開口側端部の形状を固定することができ、第一のリング体と第二のリング体との接続や、排水配管との接続を確実に係止固定することができるようになり、逆流防止弁の取り付けの信頼性が向上する。
請求項９に記載の本発明では、上記した逆流防止弁を、排水トラップとして使用することで、従来知られた封水式排水トラップのような、封水の損失によるトラップ機能の損失、いわゆる破封の無い排水トラップとすることができる。
【図面の簡単な説明】
【００１６】
【図１】本発明の第一実施例の逆流防止弁の断面図である。
【図２】図１の逆流防止弁の、閉塞部が開口した状態の断面図である。
【図３】本発明の第一実施例の逆流防止弁の、部材構成を示す断面図である。
【図４】本発明の第一実施例の逆流法止弁が採用された洗面台を示す参考図である。
【図５】本発明の第二実施例の逆流防止弁の断面図である。
【図６】本発明の第二実施例の逆流防止弁の、部材構成を示す断面図である。
【図７】本発明の第三実施例の逆流防止弁の断面図である。
【図８】本発明の第三実施例の逆流防止弁の、部材構成を示す断面図である。
【図９】本発明の第四実施例の逆流防止弁の断面図である。
【図１０】本発明の第四実施例の逆流防止弁の、部材構成を示す断面図である。
【図１１】本発明の他の実施例の逆流防止弁の断面図である。
【図１２】本発明の他の実施例の逆流防止弁の断面図である。
【図１３】従来の逆流防止弁とそれを採用した排水トラップを示す断面図である。
【実施例】
【００１７】
以下に本発明の実施例を、図面を参照しつつ説明する。
図１乃至図３に示した本発明の第一実施例の逆流防止弁は、請求項１、請求項９に記載の発明に対応する実施例であって、以下に記載する逆流防止弁本体１、第一のリング体６、第二のリング体７、上流側筒部材１０、下流側筒部材１２、及び環状パッキング１６より構成されてなる。
逆流防止弁本体１は、可撓性また耐薬性を有する素材であるシリコーンゴムからなり、略円筒形状にして上流側の端部は開口すると共に、下流側の端部は対向する側面同士が当接し、無荷重時には閉塞し、内部に排水が一定量溜まると、加重及び水圧により開口する閉塞部４を備えた本体部２からなる。
更に、開口部３の上端に、円筒を成す本体部２側面に対して直交する方向、即ち内周側及び外周側に、周縁に沿って突出する鍔部５を備えてなる。
第一のリング体６は、硬質にして耐薬性を備えた素材であるポリアセタール樹脂からなり、略円筒形状にして、逆流防止弁本体１の開口部３の内周面よりも若干だけ大径の外周面を備えてなる。
第二のリング体７は、硬質にして耐薬性を備えた素材であるポリアセタール樹脂からなり、断面下向きに開口したコの字形状を成す平面視リング形状の部材であって、逆流防止弁本体１の開口部３の外周面とほぼ同じ径の内周面を備えてなる。
上流側筒部材１０は、略円筒形状にして、上端には上流側の配管Ｌとの接続部１４を備え、下方の外周面には雄ネジ部１１を備えてなる。
下流側筒部材１２は、略円筒形状にして、下端には下流側の配管Ｌとの接続部１４を備え、上方の内周面には上記雄ネジ部１１に螺合する雌ネジ部１３を備えてなる。
また、下流側筒部材１２には、第二のリング体７を載架する段部１５を備えてなる。
環状パッキング１６は環状を成すゴム材からなる部材であって、施工時下流側筒部材１２の段部１５上に配置される。
【００１８】
上記のように構成された各部材は、以下のようにして逆流防止弁に組み立てられる。
逆流防止弁本体１の可撓性を利用して、第一のリング体６を逆流防止弁本体１の内部に、第一のリング体６の外周面が逆流防止弁本体１の内周面に当接し、且つ内周面側の鍔部５下面に第一のリング体６の上端面が当接するように配置する。更に、逆流防止弁本体１の下方から、第二のリング体７を逆流防止弁本体１の外部に、第二のリング体７の内周面が、逆流防止弁本体１の外周面に当接するように配置する。すると、逆流防止弁本体１の開口部３の側面が、第一のリング体６と第二のリング体７に挟持されることにより、逆流防止弁本体１が第一のリング体６及び第二のリング体７に挟持固定される（第一のリング体６が逆流防止弁本体１の開口部３の内周面よりも若干だけ大径の外周面を備えてなるため、第一のリング体６が逆流防止弁本体１を介して第二のリング体７に強く押圧することとなり、挟持固定される）。同時に、逆流防止弁本体１の鍔部５下面に、第一のリング体６及び第二のリング体７の上面が当接して係止され、逆流防止弁本体１と第一のリング体６及び第二のリング体７の固定が更に確実な物となる。
次に、第二のリング体７を、環状パッキング１６を介して下流側筒部材１２の段部１５に載架した上で、上流側筒部材１０の雄ネジ部１１を、下流側筒部材１２の雌ネジ部１３に螺合させると、上流側筒部材１０の下端が、第二のリング体７上面に当接して固定されて、第一実施例の逆流防止弁の組み立てが完了する。
【００１９】
上記した第一実施例の逆流防止弁は、図４に示したような、洗面台Ｓの排水配管に接続される。
図４に示した洗面台Ｓは、底面に排水口（図示せず）を備えた槽体である洗面ボウルＢと、該洗面ボウルＢを載架するキャビネットＣを備えてなる。
上記のように構成した洗面台Ｓにおいて、排水口からの配管Ｌを逆流防止弁の上流側筒部材１０の接続口に接続し、また下流側筒部材１２の接続口に床下配管と連絡する配管Ｌを接続することで、洗面台Ｓへの、逆流防止弁を備えた排水配管の施工が完了する。
【００２０】
上記した逆流防止弁について、洗面台Ｓの使用により洗面ボウルＢ内に排水が発生すると、排水は、排水口から配管Ｌ、上流側筒部材１０を介して逆流防止弁内部に流入する。逆流防止弁内部に排水がある程度溜まると、水圧の作用によって、図１の状態から、図２に示した逆流防止弁本体１の下方の閉塞部４が内側から押し開けられた状態へと移行する。これにより、逆流防止弁本体１内部にあった排水は、下流側筒部材１２内部に排水が排出され、下流側筒部材１２、配管Ｌ、床下配管を介し、最終的に下水側に排出される。
排水が完了すると、逆流防止弁内部の水量が充分少なくなった時点で、逆流防止弁の弾性により閉塞部４が再び閉塞し、図１の状態に戻って、排水の排出が完了する。
また、上記のようにして洗面台Ｓの排水配管に備えられた逆流防止弁は、排水の無い状態では排水配管を閉塞している。また排水時には開口するが、この時は配管Ｌ中に排水が存在するため、臭気や害虫類が屋内側に逆流することはない。このように、下水側から屋内側に至る流路において、臭気や害虫類の逆流を防止する効果を奏するため、この逆流防止弁は排水トラップとして機能する。
【００２１】
上記第一実施例の逆流防止弁においては、軟質な素材からなる逆流防止弁本体１の開口側の端部に鍔部５を設けると共に、第一のリング体６及び第二のリング体７によって逆流防止弁本体１の開口側の端部を挟み込むことで、逆流防止弁の開口側端部を、硬質の部材である第一のリング体６及び第二のリング体７に対して固定し、更に第二のリング体７を上流側筒部材１０及び下流側筒部材１２に固定してなることから、逆流防止弁本体１を上流側筒部材１０及び下流側筒部材１２に対して確実に固定することができる。
また、上記第一実施例の逆流防止弁を、洗面台Ｓの排水トラップとして使用することで、従来知られた封水式排水トラップのような、封水の損失によるトラップ機能の損失、いわゆる破封の無い排水トラップとすることができる。
【００２２】
次に、本発明の第二実施例を、図面を参照しつつ説明する。
図５乃至図６に示した本発明の第二実施例の逆流防止弁は、請求項１乃至請求項３、請求項５、請求項７、請求項９に記載の発明に対応する実施例であって、以下に記載する逆流防止弁本体１、第一のリング体６、第二のリング体７、上流側筒部材１０、及び下流側筒部材１２より構成されてなる。
逆流防止弁本体１は、可撓性また耐薬性を有する素材であるシリコーンゴムからなり、略円筒形状にして上流側の端部は開口すると共に、下流側の端部は対向する側面同士が当接し、無荷重時には閉塞し、内部に排水が一定量溜まると、加重及び水圧により開口する閉塞部４を備えた本体部２からなる。
更に、開口部３の上端に、円筒を成す本体部２側面に対して直交する外側方向、即ち外周側に周縁に沿って突出する鍔部５を備え、この鍔部５の端部に、更に上下方向に周縁に沿って突出する突起部５ａを備えてなる。
また、鍔部５よりも下方の内周面に、周縁に沿って中心側に向かって開口した溝部１７を備えてなる。逆流防止弁本体１は、この溝部１７に沿うようにして、外側方向に突出してなる。
第一のリング体６は、硬質にして耐薬性を備えた素材であるポリアセタール樹脂からなり、断面外周方向に開口した略コの字形状を成すリング形状の部材であって、コの字部分の内周面は、逆流防止弁本体１の鍔部５上面から溝部１７までとほぼ合致する形状を備えてなる。また、第一のリング体６の下方には、弾性を生じさせるための切欠部１８を縦方向に複数箇所設けてなる。
第二のリング体７は、硬質にして耐薬性を備えた素材であるポリアセタール樹脂からなり、断面略Ｌ字形状を成すリング形状の部材であって、施工時には逆流防止弁本体１を介して第一のリング体６のコの字部分内部に収納される。
上流側筒部材１０は、略円筒形状にして、上端には上流側の配管Ｌとの接続部１４を備え、下方の外周面には雄ネジ部１１を備えてなる。
下流側筒部材１２は、略円筒形状にして、下端には下流側の配管Ｌとの接続部１４を備え、上方の内周面には上記雄ネジ部１１に螺合する雌ネジ部１３を備えてなる。
また、下流側筒部材１２には、逆流防止弁本体１の突起部５ａを載架する段部１５を備えてなる。
【００２３】
上記のように構成された各部材は、以下のようにして逆流防止弁に組み立てられる。
逆流防止弁本体１の可撓性を利用して、第一のリング体６を逆流防止弁本体１の内部に、第一のリング体６のコの字部分の内周面が、逆流防止弁本体１の鍔部５上面から溝部１７までに当接するように配置する。この時、第一のリング体６の下端部分、外周方向に向かう水平な壁面の端部は、逆流防止弁本体１の溝部１７に嵌合するように配置される。更に、逆流防止弁本体１の下方から、第二のリング体７を逆流防止弁本体１の外部であって、逆流防止弁本体１を介して第一のリング体６のコの字部分内部に収納される位置に、第一のリング体６の切欠部１８による弾性を利用しつつ配置する。
すると、逆流防止弁本体１の開口部３の側面が、第一のリング体６と第二のリング体７に挟持されると共に、逆流防止弁本体１の鍔部５が、第一のリング体６と第二のリング体７に挟持されることにより、逆流防止弁本体１が第一のリング体６及び第二のリング体７に挟持固定される。
この時、第二のリング体７が、逆流防止弁本体１を介して第一のリング体６のコの字部分内部に収納される位置に配置されているため、第一のリング体６、第二のリング体７、逆流防止弁本体１のそれぞれが上下方向にもズレを生じることは無い。
次に、逆流防止弁本体１の鍔部５端部に設けた突起部５ａの外側面が下流側筒部材１２の内側面に当接するようにした上で、逆流防止弁本体１の突起部５ａを下流側筒部材１２の段部１５に載架させる。逆流防止弁本体１は軟質な樹脂であるシリコーンゴムで構成され、その一部である突起部５ａが下流側筒部材１２に当接することでパッキングとして機能し、逆流防止弁本体１と下流側筒部材１２とを水密的に接続する。
この状態で上流側筒部材１０の雄ネジ部１１を、下流側筒部材１２の雌ネジ部１３に螺合させると、上流側筒部材１０の下端が、第一のリング体６上面に当接して固定されて、第二実施例の逆流防止弁の組み立てが完了する。
【００２４】
上記した第二実施例の逆流防止弁は、例えば段落００１９に記載したような洗面台Ｓに、第一実施例の逆流防止弁と同様の方法にて施工され、段落００２０に記載した第一実施例の逆流防止弁と同様に使用することができる。
【００２５】
上記第二実施例の逆流防止弁においては、軟質な素材からなる逆流防止弁本体１の開口側の端部に鍔部５を設けると共に、第一のリング体６及び第二のリング体７によって逆流防止弁本体１の開口側の端部及び鍔部５を挟み込むことで、逆流防止弁の開口側端部を、硬質の部材である第一のリング体６及び第二のリング体７に対して固定し、更に第一のリング体６及部第二のリング体７によって突起部５ａは下流側筒部材１２の内周面に押圧された状態で固定される事となることから、逆流防止弁本体１を上流側筒部材１０及び下流側筒部材１２に対して確実に固定することができる。
また、上記第二実施例の逆流防止弁においては、第一のリング体６を断面略コの字形状に形成すると共に、第二のリング体７を第一のリング体６のコの字形状部分の内部に配置することで、第一のリング体６に対し、逆流防止弁本体１及び第二のリング体７が、上下及び中心軸から外周方向に対して確実に係止固定することができるようになり、逆流防止弁本体１の施工に対する信頼性が向上する。
また、上記第二実施例の逆流防止弁においては、鍔部５に突起部５ａを設けたことで、逆流防止弁本体１が、第一のリング体６及び第二のリング体７より一層抜脱し難い形状とすることができ、逆流防止弁本体１の施工に対する信頼性が向上する。
また、上記第二実施例の逆流防止弁においては、逆流防止弁本体１が軟質な素材であることを利用し、逆流防止弁本体１の下流側筒部材１２と当接する突起部５ａをパッキングとしても兼用し、部材のコストダウンを図ることができる。
また、上記第二実施例の逆流防止弁を、洗面台Ｓの排水トラップとして使用することで、従来知られた封水式排水トラップのような、封水の損失によるトラップ機能の損失、いわゆる破封の無い排水トラップとすることができる。
【００２６】
次に、本発明の第三実施例を、図面を参照しつつ説明する。
図７乃至図８に示した本発明の第三実施例の逆流防止弁は、請求項３乃至請求項５、請求項９に記載の発明の実施例であって、以下に記載する逆流防止弁本体１、第一のリング体６、第二のリング体７、上流側筒部材１０、下流側筒部材１２、環状パッキング１６、及び固定部材８より構成されてなる。
逆流防止弁本体１は、可撓性また耐薬性を有する素材であるシリコーンゴムからなり、
略円筒形状にして上流側の端部は開口すると共に、下流側の端部は対向する側面同士が当接し、無荷重時には閉塞し、内部に排水が一定量溜まると、加重及び水圧により開口する閉塞部４を備えた本体部２からなる。
更に、開口部３の上端に、円筒を成す本体部２側面に対して直交する外側方向、即ち外周側に周縁に沿って突出する鍔部５を備え、この鍔部５の端部に更に上下方向に周縁に沿って突出する突起部５ａを備えてなる。
第一のリング体６は、硬質にして耐薬性を備えた素材であるポリアセタール樹脂からなる、平坦なリング状の部材であって、外周面の外径は、逆流防止弁本体１の突起部５ａの内周面の内径とほぼ同一である。
第二のリング体７は、硬質にして耐薬性を備えた素材であるポリアセタール樹脂からなる、平坦なリング状の部材であって、外周面の外径は、逆流防止弁本体１の突起部５ａの内周面の内径とほぼ同一であり、内周面の内径は、逆流防止弁本体１の本体部２の外周面の外径とほぼ同一である。
上流側筒部材１０は、略円筒形状にして、上端には上流側の配管Ｌとの接続部１４を備え、下方の外周面には雄ネジ部１１を備えてなる。
下流側筒部材１２は、略円筒形状にして、下端には下流側の配管Ｌとの接続部１４を備え、上方の内周面には上記雄ネジ部１１に螺合する雌ネジ部１３を備えてなる。
また、下流側筒部材１２には、後述する環状パッキング１６を介して第二のリング体７を載架する段部１５と、段部１５の上方の内周面に備えた、内周方向に突出する凸部１９を備えてなる。
環状パッキング１６は環状を成すゴム材からなる部材であって、施工時下流側筒部材１２の段部１５に配置される。
固定部材８はリング状の部材であって、施工時その下面は第一のリング体６の上面に当接すると共に、外周側端部に、下流側筒部材１２の凸部１９と嵌合する傾斜部２０を備えてなる。
【００２７】
上記のように構成された各部材は、以下のようにして逆流防止弁に組み立てられる。
逆流防止弁本体１の、鍔部５の上面に第一のリング体６を、下面に第二のリング体７を、それぞれ各リング体の外周面が、鍔部５の突起部５ａの内周面に当接するように配置する。
次に、下流側筒部材１２に設けた段部１５に環状パッキング１６を載置し、更に環状パッキング１６の上方から、第一のリング体６及び第二のリング体７を備えた逆流防止弁本体１の鍔部５を載置する（このとき、段部１５上は、下方から順に、段部１５、環状パッキング１６、第二のリング体７、鍔部５、第一のリング体６、という配置となる）。更にその上方、即ち第一のリング体６上に固定部材８を配置する。更に固定部材８を回転させ、固定部材８の傾斜部２０を、下流側筒部材１２の凸部１９に嵌合させることで、逆流防止弁本体１が、環状パッキング１６、第二のリング体７、逆流防止弁本体１の鍔部５、及び第一のリング体６が下流側筒部材１２の段部１５に強く当接した状態で、下流側筒部材１２に取り付け固定される。
この状態で上流側筒部材１０の雄ネジ部１１を、下流側筒部材１２の雌ネジ部１３に螺合させることで、第三実施例の逆流防止弁の組み立てが完了する。
【００２８】
上記した第三実施例の逆流防止弁は、例えば段落００１９に記載したような洗面台Ｓに、第一実施例の逆流防止弁と同様の方法にて施工され、段落００２０に記載した第一実施例の逆流防止弁と同様に使用することができる。
【００２９】
上記第三実施例の逆流防止弁においては、軟質な素材からなる逆流防止弁本体１の開口側の端部に鍔部５を設けると共に、第一のリング体６及び第二のリング体７によって逆流防止弁本体１の鍔部５を挟み込み、更に固定部材８で上下方向に強く押圧することで、逆流防止弁の開口側端部を、硬質の部材である第一のリング体６及び第二のリング体７に対して固定することから、逆流防止弁本体１を上流側筒部材１０及び下流側筒部材１２に対して確実に固定することができる。
また、上記第三実施例の逆流防止弁においては、鍔部５に突起部５ａを設けたことで、逆流防止弁本体１が、第一のリング体６及び第二のリング体７より一層抜脱し難い形状とすることができ、逆流防止弁本体１の施工に対する信頼性が向上する。
また、上記第三実施例の逆流防止弁を、洗面台Ｓの排水トラップとして使用することで、従来知られた封水式排水トラップのような、封水の損失によるトラップ機能の損失、いわゆる破封の無い排水トラップとすることができる。
【００３０】
次に、本発明の第四実施例を、図面を参照しつつ説明する。
図９乃至図１０に示した本発明の第四実施例の逆流防止弁は、請求項３乃至請求項６、請求項８、請求項９に記載の発明に対応する実施例であって、以下に記載する逆流防止弁本体１、第一のリング体６を備える上流側筒部材１０、及び第二のリング体７を備える下流側筒部材１２より構成されてなる。
逆流防止弁本体１は、可撓性また耐薬性を有する素材であるシリコーンゴムからなり、
略円筒形状にして上流側の端部は開口すると共に、下流側の端部は対向する側面同士が当接し、無荷重時には閉塞し、内部に排水が一定量溜まると、加重及び水圧により開口する閉塞部４を備えた本体部２からなる。
更に、開口部３の上端に、円筒を成す本体部２側面に対して直交する外側方向、即ち外周側に周縁に沿って突出する鍔部５を備え、この鍔部５の端部に更に下方向に周縁に沿って突出する突起部５ａを備えてなる。
また、この突起部５ａ分の内部に、硬質のアクリル樹脂を環状に成型した環状体９を、インサート成型にて配置してなる。
上流側筒部材１０は、断面上向きに開口したコの字形状を成す、円筒を同心円状に重ねた構造の部材であって、内側の筒部分には上流側の配管Ｌとの接続部１４を備え、外側の筒部分の外周面には雄ネジ部１１を備えてなる。また、内側の筒部分と外側の筒部分を繋ぐ、第一のリング体６として機能する第一のリング体部分６ａを備えてなる。
下流側筒部材１２は、略円筒形状にして、下端には下流側の配管Ｌとの接続部１４を備え、上方の内周面には上記雄ネジ部１１に螺合する雌ネジ部１３を備えてなる。
また、下流側筒部材１２には、突起部５ａを収納する、上方に開口した溝部１７を備えてなり、該溝部１７を形成する内側部分に、第二のリング体７として機能する第二のリング体部分７ａを備えてなる。
【００３１】
上記のように構成された各部材は、以下のようにして逆流防止弁に組み立てられる。
下流側筒部材１２に設けた溝部１７に、逆流防止弁本体１の鍔部５に設けた突起部５ａを収納する。これにより、第二のリング体部分７ａの上面が、逆流防止弁本体１の鍔部５下面に当接するように配置される。この状態で上流側筒部材１０の雄ネジ部１１を、下流側筒部材１２の雌ネジ部１３に螺合させると、鍔部５を介して、第一のリング体部分６ａと第二のリング体部分７ａとが上下方向に強く押圧した状態となり、逆流防止弁本体１の鍔部５が第一のリング体部分６ａ及び第二のリング体部分７ａに挟持された状態で固定されて、第四実施例の逆流防止弁の組み立てが完了する。
【００３２】
上記した第四実施例の逆流防止弁は、例えば段落００１９に記載したような洗面台Ｓに、第一実施例の逆流防止弁と同様の方法にて施工され、段落００２０に記載した第一実施例の逆流防止弁と同様に使用することができる。
【００３３】
上記第四実施例の逆流防止弁においては、軟質な素材からなる逆流防止弁本体１の開口側の端部に鍔部５を設けると共に、第一のリング体部分６ａ及び第二のリング体部分７ａによって逆流防止弁本体１の鍔部５を挟み込み、更に固定部材８であると共に管体である上流側筒部材１０によって鍔部５を上下方向に強く押圧することで、逆流防止弁の開口側端部を、硬質の部材である第一のリング体部分６ａ及び第二のリング体部分７ａに対して固定することから、逆流防止弁本体１を上流側筒部材１０及び下流側筒部材１２に対して確実に固定することができる。
また、上記第四実施例の逆流防止弁においては、鍔部５に突起部５ａを設けたことで、逆流防止弁本体１が、第一のリング体６及び第二のリング体７より一層抜脱し難い形状とすることができ、逆流防止弁本体１の施工に対する信頼性が向上する。
また、上記第四実施例の逆流防止弁においては、鍔部５にインサート成型にて環状体９を配置したことで、逆流防止弁本体１が、第一のリング体６及び第二のリング体７より一層抜脱し難い形状とすることができ、逆流防止弁本体１の施工に対する信頼性が向上する。
また、上記第四実施例の逆流防止弁を、洗面台Ｓの排水トラップとして使用することで、従来知られた封水式排水トラップのような、封水の損失によるトラップ機能の損失、いわゆる破封の無い排水トラップとすることができる。
【００３４】
本発明の実施例は以上のようであるが、本発明は上記実施例に限定されるものではなく、主旨を変更しない範囲において自由に変更が可能である。
例えば、上記実施例では、逆流防止弁は洗面台Ｓに施工されてなるが、本発明は上記実施例に限定されるものではなく、流し台、浴槽・浴室、洗濯機用防水パンなど、他の排水機器に使用しても構わない。
また、上記請求項３に対応する逆流防止弁では、第一のリング体６、第二のリング体７共に、逆流防止弁の鍔部５端部より外周側に突出することは無かったが、請求項３に対応する本発明は、第一のリング体６、第二のリング体７のいずれか一方が逆流防止弁の鍔部５端部より内周側に配置されていれば（つまり鍔部５が第一のリング体６または第二のリング体７のいずれか一方に対して外側方向に突出していれば）他方は逆流防止弁の鍔部５端部より外周側に突出していても構わない。
そのような逆流防止弁の例として、図１１、図１２に示した実施例では、第一のリング体６の外周面よりも逆流防止弁の鍔部５端部が外周側に突出し、該逆流防止弁の鍔部５端部の更に外周面側に、第二のリング体７の外周面が突出した構造となっている。
上記のように構成した場合でも、図１１の実施例の場合では、鍔部５上面が押圧されることで、第一のリング体６に当接している部分と当接していない部分とで鍔部５上面に段差を生じ、逆流防止弁本体１が、第一のリング体６及び第二のリング体７から抜脱することを防止する効果を生じている。
また、図１２の実施例の場合では、鍔部５の端部に上方に向いて突起部５ａを構成することで、逆流防止弁本体１が、第一のリング体６及び第二のリング体７から抜脱することを防止する効果をより一層高いものとしている。
また、上記第四実施例では、固定部材８、管体、第一のリング体６を、上流側筒部材１０にて全て兼用しているが、例えば図１２の実施例のように、固定部材８と管体のみ一体の部材とし、第二のリングとは別途の部材となるように構成しても構わない。
【符号の説明】
【００３５】
１    逆流防止弁本体              ２    本体部
３    開口部                      ４    閉塞部
５    鍔部                        ５ａ  突起部
６    第一のリング体              ６ａ  第一のリング体部分
７    第二のリング体              ７ａ  第二のリング体部分
８    固定部材                    ９    環状体
１０  上流側筒部材                １１  雄ネジ部
１２  下流側筒部材                １３  雌ネジ部
１４  接続部                      １５  段部
１６  環状パッキング              １７  溝部
１８  切欠部                      １９  凸部
２０  傾斜部                      Ｂ    洗面ボウル
Ｃ    キャビネット                Ｓ    洗面台
Ｌ    配管
【図１】
2012180656.tif 000003
【図２】
2012180656.tif 000004
【図３】
2012180656.tif 000005
【図４】
2012180656.tif 000006
【図５】
2012180656.tif 000007
【図６】
2012180656.tif 000008
【図７】
2012180656.tif 000009
【図８】
2012180656.tif 000010
【図９】
2012180656.tif 000011
【図１０】
2012180656.tif 000012
【図１１】
2012180656.tif 000013
【図１２】
2012180656.tif 000014
【図１３】
2012180656.tif 000015